(57)【特許請求の範囲】
【請求項１】
椅子の背凭れの背面側にテーブルを収納できるテーブル収納箱が設けられ、前記テーブルが略垂直にされた状態で、前記テーブル収納箱の上部に開口される開口部から下方側に降下されて該テーブル収納箱内に収納されるようになっており、かつ前記テーブルの先端縁には、前記開口部の左右幅と略同一寸法の左右幅を有する把手部が設けられるテーブル付椅子であって、
前記把手部の左右端縁には、該把手部が前記開口部に近接したときに、該開口部の縁部側に向くテーパ面を有する把手テーパ部が形成されることを特徴とするテーブル付椅子。
【請求項２】
前記開口部の縁部には、前記把手テーパ部のテーパ面を略同一の傾斜角度のテーパ面を有する開口部テーパ部が形成されることを特徴とする請求項１に記載のテーブル付椅子。
【請求項３】
前記把手テーパ部は、前記テーブルの昇降方向に対して略２０〜６０度の傾きとなっていることを特徴とする請求項１または２に記載のテーブル付椅子。
【請求項４】
前記把手部の左右端部には、該把手部を補強する補強片が設けられており、前記把手テーパ部が前記補強片に形成され、該補強片と前記開口部の下端縁との間が離間されて間隙部が設けられることを特徴とする請求項１ないし３のいずれかに記載のテーブル付椅子。
【請求項５】
椅子の背凭れの背面側にテーブルを収納できるテーブル収納箱が設けられ、前記テーブルが略垂直にされた状態で、前記テーブル収納箱の上部に開口される開口部から下方側に降下されて該テーブル収納箱内に収納されるようになっており、かつ前記テーブルの先端縁には、前記開口部の左右幅と略同一寸法の左右幅を有する把手部が設けられるテーブル付椅子であって、
前記把手部の左右端部には、該把手部を補強する補強片が設けられており、該補強片が前記把手部の突出方向に沿って延設されることで、該把手部の左右端部の形状が側面視で略三角形状をなし、該補強片には、前記テーブルが垂直状態のときに背面側となる部位に、背面側を向くテーパ面を有する補強片テーパ部が形成されることを特徴とするテーブル付椅子。
【発明の詳細な説明】
【技術分野】
【０００１】
本発明は、劇場等に設置される前後方向に複数設置される椅子において、椅子の背凭れに後方の椅子の着座者が使用するための簡易なテーブルを収納可能に設けるテーブル付椅子に関する。
【背景技術】
【０００２】
従来のテーブル付椅子は、椅子の背凭れの後面側にテーブルを収納するテーブル収納箱が設けられ、このテーブル収納箱の開口部から上方側に引き出されたテーブルは、テーブルが水平になるように背面側に倒されるようになっている（例えば、特許文献１参照）。
【先行技術文献】
【特許文献】
【０００３】
【特許文献１】特開２００６−１８１０９１号公報
【発明の概要】
【発明が解決しようとする課題】
【０００４】
しかしながら、特許文献１に記載のテーブル付椅子にあっては、テーブルの上端縁（先端縁）には、開口部の左右幅と略同一寸法の左右幅を有する把手プレート（把手部）が設けられており、テーブルが略垂直にされた状態で、開口部から下方側に降下されて該テーブル収納箱内に収納される際に、把手プレートの左右端縁と開口部の縁部との間に使用者が指を挟めてしまう虞があるばかりか、テーブルの自重が把手プレートの角部により指に集中されて加わるため、使用者が挟まれた指を抜こうとしても抜け難くなるという問題がある。
【０００５】
本発明は、このような問題点に着目してなされたもので、テーブルの把手部とテーブル収納箱の開口部の縁部との間に、指を挟み難くするとともに、指が挟まれても容易に指を抜くことができるテーブル付椅子を提供することを目的とする。
【課題を解決するための手段】
【０００６】
前記課題を解決するために、本発明のテーブル付椅子は、
椅子の背凭れの背面側にテーブルを収納できるテーブル収納箱が設けられ、前記テーブルが略垂直にされた状態で、前記テーブル収納箱の上部に開口される開口部から下方側に降下されて該テーブル収納箱内に収納されるようになっており、かつ前記テーブルの先端縁には、前記開口部の左右幅と略同一寸法の左右幅を有する把手部が設けられるテーブル付椅子であって、
前記把手部の左右端縁には、該把手部が前記開口部に近接したときに、該開口部の縁部側に向くテーパ面を有する把手テーパ部が形成されることを特徴としている。
この特徴によれば、把手部が開口部に近接したときに、把手テーパ部と開口部の縁部との間に指を挿入しようとしても、把手テーパ部により指が外方へ押し出されるように作用し、指が挟まれ難くなるとともに、把手テーパ部と開口部の縁部との間に指が挟まれたとしても、把手テーパ部のテーパ面が指に接触されるため、テーブルの自重が指に集中されることを防止し、指が挟まれても容易に抜くことができる。
【０００７】
本発明のテーブル付椅子は、
前記開口部の縁部には、前記把手テーパ部のテーパ面を略同一の傾斜角度のテーパ面を有する開口部テーパ部が形成されることを特徴としている。
この特徴によれば、把手部が開口部に近接したときに、各テーパ部のテーパ面同士が平行をなし、テーパ面同士の間に指を挟んだとしても、このテーパ面が指に接触されるため、テーブルの自重が指に集中されることを防止し、指が挟まれても容易に抜くことができる。
【０００８】
本発明のテーブル付椅子は、
前記把手テーパ部は、前記テーブルの昇降方向に対して略２０〜６０度の傾きとなっていることを特徴としている。
この特徴によれば、テーブルの昇降方向（垂直線）に対して略２０〜６０度の傾きが、指が挟まれても容易に抜くことができる把手テーパ部の傾きとなっている。特に、テーブルの昇降方向に対して略４０度の傾きが最もよい。
【０００９】
本発明のテーブル付椅子は、
前記把手部の左右端部には、該把手部を補強する補強片が設けられており、前記把手テーパ部が前記補強片に形成され、該補強片と前記開口部の下端縁との間が離間されて間隙部が設けられることを特徴としている。
この特徴によれば、補強片と開口部の下端縁との間に指が挟まれても、把手テーパ部に沿って指が間隙部に向かって抜けるように作用し、指が挟まれ難くなる。
【００１０】
本発明のテーブル付椅子は、
椅子の背凭れの背面側にテーブルを収納できるテーブル収納箱が設けられ、前記テーブルが略垂直にされた状態で、前記テーブル収納箱の上部に開口される開口部から下方側に降下されて該テーブル収納箱内に収納されるようになっており、かつ前記テーブルの先端縁には、前記開口部の左右幅と略同一寸法の左右幅を有する把手部が設けられるテーブル付椅子であって、
前記把手部の左右端部には、該把手部を補強する補強片が設けられており、該補強片が前記把手部の突出方向に沿って延設されることで、該把手部の左右端部の形状が側面視で略三角形状をなし、該補強片には、前記テーブルが垂直状態のときに背面側となる部位に、背面側を向くテーパ面を有する補強片テーパ部が形成されることを特徴としている。
この特徴によれば、把手部が開口部に近接したときに、補強片の補強片テーパ部と開口部の縁部との間に指が挟まれても、補強片テーパ部のテーパ面に沿って指が背面側に抜けるように作用し、指が挟まれ難くなる。
【図面の簡単な説明】
【００１１】
【図１】実施例における椅子を示す斜視図である。
【図２】図１における椅子を示すＡ−Ａ縦断面図である。
【図３】図２における椅子を示す上部拡大図である。
【図４】テーブルが使用位置にある状態を示す縦断側面図である。
【図５】テーブルを引き出した状態の椅子を示す背面図である。
【図６】テーブルが収納位置にある状態を示す部分拡大斜視図である。
【図７】把手部と開口部とが近接した状態を示す縦断側面図である。
【発明を実施するための形態】
【００１２】
本発明に係るテーブル付椅子を実施するための形態を実施例に基づいて以下に説明する。
【実施例】
【００１３】
実施例に係るテーブル付椅子につき、図１から図６を参照して説明する。以下、図２から図４の紙面左側をテーブル付椅子の正面側（前方側）として説明する。
【００１４】
図１の符号１は、本発明の適用されたテーブル付椅子としての椅子である。この椅子１は、例えば、大学の講堂や劇場などに配置されて使用される椅子である。図１に示すように、椅子１を左右方向に複数並設したものを前後方向に複数配置することで、多くの使用者が着座することができるようになっている。尚、本実施例では３つの椅子１が左右方向に並設されて１セットに構成されているが、椅子１の数はこれに限らず、いくつ並設してもよい。
【００１５】
また、図１に示す左側の椅子１のように、椅子１の背面側にはテーブル２が収納されており、中央の椅子１のようにテーブル２を引き出し、右側の椅子１のようにテーブル２を揺動させて水平な状態にできるようになっている。このように水平な状態にしたテーブル２を、後席の椅子１に着座した使用者が使用可能となり、テーブル２に書類や飲食物を載せられるようになっている。
【００１６】
尚、本実施例では、図１に示す左側の椅子１のように、テーブル２が収納された状態にあるテーブル２の位置を収納位置とし、右側の椅子１のように、テーブル２が椅子１の後方側に引き出されて水平状態にあるテーブル２の位置を使用位置として説明する。
【００１７】
図１及び図２に示すように、椅子１は、床面に設置される脚部３と、使用者が着座する座部４と、座部４の後部から上方に延びる背凭れ部５と、背凭れ部５の背面側で背凭れ部５を支持する背枠部６と、背枠部６の後方に設けられるテーブル装置７と、から構成されている。
【００１８】
尚、テーブル装置７は、上方が開口する箱型のテーブル収納箱８と、テーブル収納箱８の上部の蓋部９と、テーブル収納箱８内に引き出し可能に配置されたテーブル２と、後述する緩衝装置１０と、カバー部材１１と、を有している。
【００１９】
背凭れ部５、背枠部６、及びテーブル収納箱８の背面板８ａは、略並行な状態で後方側に傾斜している。テーブル収納箱８内の上部側にはテーブル２が収納され、テーブル収納箱８の上部に設けられた開口部２４からテーブル２が引き出し可能になっている。
【００２０】
図２に示すように、テーブル２が収納位置にあるときに上端となるテーブル２の先端縁には、後方下向きに突起する把手部１２が形成されている。使用者はこの把手部１２を掴み、テーブル２を開口部２４から引き出すことができるようになっている。尚、把手部１２は、開口部２４の左右幅と略同一寸法の左右幅となっている。
【００２１】
また、テーブル２が収納位置にあるときに下端となる基端部には、テーブル２を枢支する枢支部材１３がテーブル２の左右側部に取り付けられている。テーブル２がテーブル収納箱８から引き出された際に、テーブル２は基端部の枢支軸１３ａ（揺動軸）を中心に揺動されるようになっている。
【００２２】
更に、テーブル収納箱８における左右の側面板８ｂには、その内側に上下方向に延びるガイドレール１４が取り付けられている。テーブル２に取り付けられた枢支部材１３がこのガイドレール１４に係合し、ガイドレール１４によってテーブル２の上下方向の移動が案内されるようになっている。尚、テーブル２は、枢支部材１３の下端部がガイドレール１４の下端部に当接することで、収納位置に保持されるようになっている。
【００２３】
図３に示すように、背枠部６の背面には、側面視で略Ｓ字状をなすブラケット１５が取り付けられており、このブラケット１５には、テーブル２の揺動速度を低減するための緩衝装置１０が取り付けられている。
【００２４】
緩衝装置１０は、上下方向に延びるシャフト１６と、シャフト１６の下部に設けられるスプリング１７と、スプリング１７の上部でシャフト１６に固定されたストッパー１８と、を有している。尚、特に図示はしないが、この緩衝装置１０は椅子１のテーブル収納箱８内の左右の側面板８ｂの近傍に1つずつ設けられている。
【００２５】
緩衝装置１０の上部には、右側面視で逆向き略Ｌ字状をなすカバー部材１１が設けられている。このカバー部材１１は、テーブル２と同等の左右幅を有しており、カバー部材１１の下面には、緩衝装置１０におけるシャフト１６の上端部が固定されている。
【００２６】
また、テーブル収納箱８における背面板８ａの上端部には、内側に小カバー部材２０が取り付けられている。尚、この小カバー部材２０によって、テーブル２と背面板８ａとの開口が狭くなるため、テーブル２が収納位置にあるときに、テーブル２と背面板８ａとの間からゴミ等が入り難くなっている。そのため、後方の着座者により意図的にゴミ等がテーブル収納箱８内に挿入されることを防止できる。
【００２７】
使用者がテーブル２を収納位置から使用位置にする際には、使用者がテーブル２を上方に引き出すと、テーブル２は枢支軸１３ａを中心に揺動し、テーブル２の天板面２ａ（上面）によってカバー部材１１が押し上げられる。
【００２８】
そして、カバー部材１１は、緩衝装置１０の下部に設けられたスプリング１７の付勢力によって常に下方向に押し下げられているため、テーブル２が揺動して水平な状態に近づくときの揺動速度が低減され、テーブル２が急激に倒れることを防止できるようになっている。
【００２９】
図４に示すように、テーブル２は、水平状態になると停止し、使用位置となる。このとき、テーブル２の天板面２ａはカバー部材１１の下端部に当接し、テーブル２の下面は小カバー部材２０の上端部に当接している。テーブル２の上下面がカバー部材１１及び小カバー部材２０によって挟持されることで、テーブル２の水平状態が保持されて使用できるようになっている。
【００３０】
また、テーブル２が使用位置にあるときには、テーブル２の天板面２ａとカバー部材１１とが当接しているため、使用者がテーブル２の天板面２ａ側から鉛筆等を前方奥側に置いた場合でも、テーブル収納箱８内に鉛筆等が入り込んでしまうことを防止している。
【００３１】
使用者がテーブル２を使用位置から収納位置にする際には、使用者が使用位置にあるテーブル２の把手部１２を上方に押し上げると、枢支軸１３ａを中心にテーブル２が揺動する。そして、テーブル２が略垂直状態になると、テーブル２が降下されてテーブル２がテーブル収納箱８に収納される。
【００３２】
次に、テーブル２、蓋部９及びテーブル収納箱８のテーパ部８ｃ（開口部テーパ部）の形状について、図５と図６を参照して説明する。図５に示すように、蓋部９における上面と内側面との角部、及び蓋部９における後面と内側面との角部には、テーパ部９ａ，９ｂ，９ｃが形成されているとともに、背面板８ａからテーブル収納箱８内に向かう角部にも同様にテーパ部８ｂ，８ｃが形成されている。すなわち開口部２４の上下の縁部と左右の縁部とにテーパ面を有するテーパ部８ｂ，８ｃ，９ａ，９ｂ，９ｃが設けられる。
【００３３】
また、テーブル２の把手部１２の左右端部（左右端縁）にも、蓋部９と同様に、テーパ面を有するテーパ部１２ａ（把手部テーパ部）が形成されている。この蓋部９のテーパ部９ａと、把手部１２の端部のテーパ部１２ａとは、テーブル２が収納位置近傍にあるときに、互いに近接されるようになっている。
【００３４】
尚、蓋部９の左側のテーパ部９ａと、把手部１２の左側の端部のテーパ部１２ａとは、傾斜角が略同等の角度θとなるように形成され、それぞれが有するテーパ面が同一方向に傾斜される。更に、蓋部９の右側のテーパ部９ａと、把手部１２の右側の端部のテーパ部１２ａとも同様に同一方向に傾斜され、それぞれが有するテーパ面が同一方向に傾斜される（図５参照）。
【００３５】
つまり、把手部１２が蓋部９（開口部２４）に近接したときに、把手部１２のテーパ部１２ａのテーパ面と、蓋部９のテーパ部９ａのテーパ面とは、互いに対向するように傾斜されており、テーブル２が収納位置近傍にあるときは、把手部１２のテーパ部１２ａのテーパ面と、蓋部９のテーパ部９ａのテーパ面とが、互いに平行をなして近接されるようになっている。
【００３６】
尚、把手部１２の左右端部のテーパ部１２ａと、開口部２４の周縁のテーパ部８ｂ，８ｃ，９ａ，９ｂ，９ｃの傾斜角度θは、テーブル２の昇降方向（略垂直方向）に対して略２０〜６０度となっている。更に尚、本実施例では、テーブル２の昇降方向（略垂直方向）に対して略４０度の傾斜角度θとなっている。
【００３７】
そのため、使用者が、蓋部９のテーパ部９ａ，９ｂまたはテーブル２における把手部１２の左右端部のテーパ部１２ａに指を掛けたままテーブル２をテーブル収納箱８に収納しようとした場合などに、蓋部９と把手部１２の間に指が挟まれそうになっても、指を外側に逃がす方向に力が働くため、指を挟みにくくなり、安全性が向上する。
【００３８】
尚、把手部１２の左右端部の形状は、側面視で略三角形状をなし、この把手部１２の左右端部には、この把手部１２を補強する補強片１２ｂが設けられている。つまり補強片１２ｂが把手部１２の突出方向に沿って延設されることで、把手部１２の左右端部の形状が側面視で略三角形状をなしている。
【００３９】
また、テーパ部１２ａが補強片１２ｂに形成され、補強片１２ｂと開口部２４の下端縁との間が離間されて間隙部２５が設けられる。更に、補強片１２ｂには、テーブルが垂直状態のときに背面側となる部位に、背面側を向くテーパ面を有するテーパ部１２ｂ’（補強片テーパ部）が形成される。
【００４０】
図６に示すように、テーブル２が収納位置にあるときには、テーブル２の把手部１２の高さは、蓋部９と略同等の高さになるところでテーブル２が収納されるように設計されている。そのため、テーブル収納箱８における背面板８ａの上端部８ｃ（開口部２４の下端縁８ｃ）と、把手部１２と、の間には、隙間部２５が形成され、使用者が把手部１２に手を掛けたままテーブル２をテーブル収納箱８に収納して場合であっても、テーブル収納箱８における背面板８ａと把手部１２との間に指を挟むことがなく、安全である。
【００４１】
また、背面板８ａの上端部８ｃ（開口部２４の下端縁８ｃ）と把手部１２との間の隙間部２５は、幅狭に形成されており、この隙間部２５からゴミ等が入り難くなっている。そのため、後方の着座者により意図的にゴミ等がテーブル収納箱８内に挿入されることを防止できる。
【００４２】
図７に示すように、補強片１２ｂのテーパ部１２ｂ’は、テーブル２の延設方向に対して所定の傾斜角度θ’を有して傾いている。また、蓋部９の上面もテーブル２の延設方向に対して所定の傾斜角度θ’を有して傾いている。更に、補強片１２ｂのテーパ部１２ｂ’と蓋部９の上面の傾斜角度θ’が略同等の角度θ’となるように形成され、それぞれが有するテーパ面が逆方向に傾斜される。つまり、把手部１２の左右端部の補強片１２ｂと蓋部９との間に指が挟まれても、指は背面側に向かって抜けるように作用し、指が挟まれ難くなっている。
【００４３】
尚、補強片１２ｂのテーパ部１２ｂ’と、蓋部９の上面の傾斜角度θ’は、テーブル２の昇降方向（略垂直方向）に対して略４５〜６６度となっている。更に尚、本実施例では、テーブル２の昇降方向（略垂直方向）に対して略５５度の傾斜角度θ’となっている。
【００４４】
以上、本実施例におけるテーブル付椅子１では、椅子１の背凭れ部５の背面側にテーブル２を収納できるテーブル収納箱８が設けられ、テーブル２が略垂直にされた状態で、テーブル収納箱８の上部に開口される開口部２４から下方側に降下されてテーブル収納箱８内に収納されるようになっており、かつテーブル２の先端縁には、開口部２４の左右幅と略同一寸法の左右幅を有する把手部１２が設けられるテーブル付椅子１であって、把手部１２の左右端縁には、把手部１２が開口部２４に近接したときに、開口部２４の縁部側に向くテーパ面を有するテーパ部１２ａが形成されることで、把手部１２が開口部２４に近接したときに、テーパ部１２ａと開口部２４の縁部９ａとの間に指を挿入しようとしても、テーパ部１２ａにより指が外方へ押し出されるように作用し、指が挟まれ難くなるとともに、テーパ部１２ａと開口部２４の縁部９ａとの間に指が挟まれたとしても、テーパ部１２ａのテーパ面が指に接触されるため、テーブル２の自重が指に集中されることを防止し、指が挟まれても容易に抜くことができる。
【００４５】
また、開口部２４の縁部９ａには、テーパ部１２ａのテーパ面を略同一の傾斜角度のテーパ面を有するテーパ部９ａが形成されることで、把手部１２が開口部２４に近接したときに、各テーパ部９ａ，１２ａのテーパ面同士が平行をなし、テーパ面同士の間に指を挟んだとしても、このテーパ面が指に接触されるため、テーブル２の自重が指に集中されることを防止し、指が挟まれても容易に抜くことができる。
【００４６】
また、把持部１２のテーパ部１２ａは、テーブル２の昇降方向（垂直線）に対して略２０〜６０度の傾きとなっていることで、テーブル２の昇降方向（垂直線）に対して略２０〜６０度の傾きが、指が挟まれても容易に抜くことができる把手部１２のテーパ部１２ａの傾きとなっている。特に、テーブル２の昇降方向に対して略４０度の傾きが最もよい。
【００４７】
また、把手部１２の左右端部には、把手部１２を補強する補強片１２ｂが設けられており、把手部１２のテーパ部１２ａが補強片１２ｂに形成され、補強片１２ｂと開口部２４の下端縁８ｃとの間が離間されて間隙部２５が設けられることで、補強片１２ｂと開口部２４の下端縁８ｃとの間に指が挟まれても、把手部１２のテーパ部１２ａに沿って指が間隙部２５に向かって抜けるように作用し、指が挟まれ難くなる。
【００４８】
また、把手部１２の左右端部には、把手部１２を補強する補強片１２ｂが設けられており、補強片１２ｂが把手部１２の突出方向に沿って延設されることで、把手部１２の左右端部の形状が側面視で略三角形状をなし、補強片１２ｂには、テーブル２が垂直状態のときに背面側となる部位に、背面側を向くテーパ面を有するテーパ部１２ｂ’が形成されることで、把手部１２が開口部２４に近接したときに、補強片１２ｂのテーパ部１２ｂ’と開口部２４の縁部との間に指が挟まれても、テーパ部１２ｂ’のテーパ面に沿って指が背面側に抜けるように作用し、指が挟まれ難くなる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、テーブル収納箱８のテーパ部８ｃと、蓋部９のテーパ部９ａ，９ｃと、把手部１２の左右端部のテーパ部１２ａと、にテーパ面を形成しているが、テーブル２をテーブル収納箱８に収納するときにテーブル２が降下する際の衝撃を緩衝するために、このテーパにクッション材等を設けてもよい。これにより、使用者が指を挟んでしまった場合にも指を傷付けることを防止できる。
【符号の説明】
【００５１】
１                椅子
２                テーブル
２ａ              天板面
５                背凭れ部
７                テーブル装置
８                テーブル収納箱
８ａ              背面板
８ｂ              側面板
８ｃ              テーパ部（開口部テーパ部）
９                蓋部
９ａ              テーパ部（開口部テーパ部）
９ｂ              テーパ部（開口部テーパ部）
９ｃ              テーパ部（開口部テーパ部）
１２              把手部
１２ａ            テーパ部（把持部テーパ部）
１２ｂ            補強片
１２ｂ’          テーパ部（補強片テーパ部）
２４              開口部
２５              隙間部
【図１】
0005574834.tif 000002
【図２】
0005574834.tif 000003
【図３】
0005574834.tif 000004
【図４】
0005574834.tif 000005
【図５】
0005574834.tif 000006
【図６】
0005574834.tif 000007
【図７】
0005574834.tif 000008